(57)【要約】      （修正有）【課題】簡単な構造によって雨垂れを良好に防止することができる雨垂れ防止装置を提供する。【解決手段】建造物又は構造物に設けられた屋根材３と、屋根材３の下方に配置された外壁とを備え、上記屋根材３の端部と外壁の上部とを化粧カバー６で一体的に覆い、化粧カバー６の下部には樋状溝部１１を形成し、該樋状溝部１１の底部には排水孔１２を形成するとともに、上記排水孔１２の下部には、排水孔１２から流下した雨水を外壁から遠い側に流れ落ちるように案内するガイド部１３を形成した。【選択図】図３
2005290742.tif 000002
【特許請求の範囲】
【請求項１】
建造物又は構造物に設けられた屋根材と、屋根材の下方に配置された外壁とを備え、上記屋根材の端部と外壁の上端部とを化粧カバーで一体的に覆い、化粧カバーの下部と外壁の外面との間には樋状溝部を形成し、該樋状溝部の底部には排水孔を形成するとともに、上記排水孔の下部には、排水孔から流下した雨水を外壁から遠い側に流れ落ちるように案内するガイド部を形成したことを特徴とする雨垂れ防止装置。
【請求項２】
前記ガイド部は、前記排水孔の下部に配置された雨水受け部材と、該雨水受け部材の前記外壁から遠い側の端部から垂下したガイド片とから構成されたものである、請求項１又は２に記載の雨垂れ防止装置。
【発明の詳細な説明】
【技術分野】
【０００１】
本発明は、建物又は構造物に設けられた屋根材上に降って屋根材の端部に流れてきた雨水を良好に排水して外壁に雨水が垂れるのを防止する雨垂れ防止装置に関するものである。
【背景技術】
【０００２】
一般に、金属製の屋根材は強度や剛性が高く、施工も簡単で、しかも低コストなので、ガレージや物置、簡易倉庫などの比較的小型の建造物、構造体によく利用されている。中でも、谷部と山部とを連続させたデッキ板は強度が高いので、補強用の鉄骨なども少なくて済み、組み立て作業も容易であるから、屋根材として好まれている。
【０００３】
ところで、これらの建造物や構造体は、屋根と外壁の端部が外部に露出するのを防止するため、屋根材の端部と外壁の上端部とを化粧カバーで一体的に覆っている。そして、化粧カバー本体の下部と外壁の外側に配置された外壁カバーの下部とを接合することにより樋状溝部が形成され、その一部には排水孔が形成されていた。したがって、屋根材の端部から流れ落ちてきた雨水は、屋根材からカバー材の内面を伝って樋状溝部に流下し、排水孔から直接に地面に落下していた。
【特許文献１】実用新案登録第３０９６３３７号
【発明の開示】
【発明が解決しようとする課題】
【０００４】
しかしながら、雨水が排水孔から地面に落下するとき、雨水の一部が樋状溝部の外面からさらに外壁を伝って流れ落ちる。この雨垂れが外壁を汚損し、例えば白い外壁が雨垂れで黒く汚れてしまうという現象が発生する。
【０００５】
本発明は上記問題点を解消し、簡単な構造によって雨垂れを良好に防止することができる雨垂れ防止装置を提供することをその課題とする。
【課題を解決するための手段】
【０００６】
前記課題を解決するため、本発明に係る雨垂れ防止装置は、建造物又は構造物に設けられた屋根材と、屋根材の下方に配置された外壁とを備え、上記屋根材の端部と外壁の上部とを化粧カバーで一体的に覆い、化粧カバーの下部には樋状溝部を形成し、該樋状溝部の底部には排水孔を形成するとともに、上記排水孔の下部には、排水孔から流下した雨水を外壁から遠い側に流れ落ちるように案内するガイド部を形成したことを特徴とする。
【０００７】
なお、前記ガイド部は、前記排水孔の下部に配置された雨水受け容器の前記外壁から遠い側の側壁を開口し、この開口部の下端部からガイド片を垂下形成することによって構成するのが好ましい。
【発明の効果】
【０００８】
請求項１に係る発明によれば、上記排水孔の下部には、排水孔から流下した雨水を外壁から遠い側に流れ落ちるように案内するガイド部が形成されているので、排水孔から流れ落ちた雨水は上記ガイド部に案内されて外壁から遠い側に流れ落ちる。このため、排水孔からの雨水は外壁を伝うことがないので、簡単な構造によって雨垂れを良好に防止することができ、外壁を常時清浄に保つことができる。
【０００９】
請求項２に係る発明によれば、上記ガイド部は、上記排水孔の下部に配置された雨水受け容器の前記外壁から遠い側の側壁を開口し、この開口部の下端部からガイド片を垂下形成したものであるから、装置の構造を非常に簡単にすることができ、コストも低く抑えることができる。
【発明を実施するための最良の形態】
【００１０】
図１は本発明装置の１実施例を示すガレージの斜視図である。このガレージは、支柱と梁の上部に屋根材３を設け、左右の側部には外壁４を設け、入り口にはシャッター５を開閉自在に取り付けたもので、図２に示されるように、屋根材３は谷部と山部とを連続的に折り曲げ形成してなる金属製の折板（デッキ板）で、図４に示されるように、支柱１の上に配置された梁２の上に固定されている。
【００１１】
支柱１の外側には外壁４を構成する外壁材４ａが取り付けられている。
【００１２】
上記屋根材３の端部と外壁４の上端部とは化粧カバー６で一体的に覆われている。この化粧カバー６は、中央部分に補強用凹部７を形成したカバー本体８の上部８ａに、屋根材３の端部上端に係合する係合部９を形成し、カバー本体８の下部８ｂは内側に水平に折り曲げ、さらにその端部を上方に折り曲げ、この折り曲げ部８ｃを外壁４を直接に覆う外壁カバー１０と接合して成るものである。
【００１３】
上記カバー本体８は屋根材３の端部と外壁４の上部を覆う幅に形成され、外壁カバー１０の上端は梁２に固定され、その下方は外壁４を覆い、さらに下端部は外側に斜めに折り曲げられて上記カバー本体８の下部８ｂと一体に接合されている。これにより、化粧カバー６の下部には樋状溝部１１が形成されている。
【００１４】
次に、樋状溝部１１の底部には排水孔１２を形成するとともに、排水孔１２の下部には、ガイド部１３が形成されている。
【００１５】
ガイド部１３は、図２〜図５に示されるように、上記排水孔１２の下部に配置された雨水受け容器１４の側壁１５のうち上記外壁４から遠い側の側壁を開口し、この開口部１６の下端部からガイド片１７を垂下形成したもので、雨水受け容器１４は、図５に示されるように箱型に形成され、上端には外方に張出す取付片１８が形成されている。ガイド部１３は、取付片１８を上記樋状溝部１１の下面に固定することにより排水孔１２の下部に配置されている。
【００１６】
なお、１９はバックアップ材で、一定の間隔で配置されている。
【００１７】
上記構成によれば、屋根材３に降った雨はその端部から化粧カバー６の内面に沿って樋状溝部１１に流れ落ちて溜まる。溜まった雨水はさらに排水孔１２から排水されてガイド部１３に流れ落ち、さらにガイド部１３の開口部１６からガイド片１７に沿って流れ落ちる。開口部１６は外壁４から遠い側に形成されているので、雨水は外壁４から遠い側に流れ落ちるように案内される。しかも、ガイド片１７が雨水を下方に流下するように案内するので、開口部１６から出た雨水がガイド部１３の下面を伝って外壁４に向かうこともない。したがって、外壁４に雨垂れが発生することがないので、雨垂れを良好に防止することができ、外壁４を清浄に保つことができる.
上述のように、雨垂れ防止装置は、排水孔１２の下部に簡単な容器形状のガイド部１３を配置するだけでよいので、コストも低く抑えることができる。
【００１８】
なお、ガイド部１３は、排水孔１２から流下した雨水を外壁４から遠い側に流れ落ちるように案内するものであればよく、容器１４形状に限定されない。例えば、図６に示されるように、樋状に形成されたものであってもよい。
【００１９】
また、雨垂れ装置はガレージだけでなく、物置や他の建造物や構造物にも適用することができる。
【図面の簡単な説明】
【００２０】
【図１】ガレージの斜視図
【図２】上記ガレージの一部の拡大斜視図
【図３】上記ガレージの他の一部の拡大斜視図
【図４】上記ガレージの要部の断面図
【図５】ガイド部の斜視図
【図６】他のガイド部の斜視図
【符号の説明】
【００２１】
３    屋根材
４    外壁
１１    樋状溝部
１２    排水孔
１３  ガイド部
【図１】
2005290742.tif 000003
【図２】
2005290742.tif 000004
【図３】
2005290742.tif 000005
【図４】
2005290742.tif 000006
【図５】
2005290742.tif 000007
【図６】
2005290742.tif 000008